(57)【要約】【課題】  原稿圧着板の開閉時に当該原稿圧着板が水平にコンタクトガラスの上面へスムーズに上昇、下降するように構成した、原稿圧着板開閉装置を提供する。【解決手段】  取付部材と、この取付部材に回転可能に軸支された支持部材と、この支持部材に重なり合うと共に当該支持部材の自由端部に前記支持部材の回転方向とは逆方向へ回転可能に軸支され、かつ、原稿圧着板に取り付けられるリフト部材と、前記取付部材と前記支持部材との間に設けられ、前記原稿圧着板を開成方向に回転付勢すると共に前記リフト部材を前記支持部材と重なり合う方向へ付勢する弾性手段と、前記リフト部材の回転を制御するリンク機構を、前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成することで解決した。【選択図】  図５
2011227370.tif 000002
【特許請求の範囲】
【請求項１】
事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、前記取付部材と前記支持部材との間に設けられ、前記原稿圧着板を開成方向に回転付勢する弾性手段と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする、原稿圧着板開閉装置。
【請求項２】
事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、前記支持部材内に摺動可能に収装され、前記取付部材側の受圧手段に当接したカムスライダーと、このカムスライダーと前記支持部材の自由端側との間に設けられ、前記原稿圧着板を開成方向に回転付勢する弾性手段と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする、原稿圧着板開閉装置。
【請求項３】
事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、このリフト部材の側に設けた作動部材と、前記取付部材の側に設けた受圧手段と、前記支持部材内に摺動可能に収装され、前記受圧手段に当接したカムスライダーと、前記支持部材内に自由端側に摺動可能に収装され、前記作動部材に当接したバネ受け部材と、このバネ受け部材と前記カムスライダーとの間に設けられ、前記原稿圧着板を開成方向に回転付勢する弾性手段と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする、原稿圧着板開閉装置。
【請求項４】
事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、このリフト部材の側に設けた作動部材と、前記取付部材の側に設けた受圧手段と、前記支持部材内に摺動可能に収装され、前記受圧手段に当接したカムスライダーと、前記支持部材内に自由端側に摺動可能に収装され、前記作動部材に当接したバネ受け部材と、このバネ受け部材と前記カムスライダーとの間に設けられ、前記原稿圧着板を開成方向に回転付勢する弾性手段と、この弾性手段のなかに収容されて前記カムスライダーと前記バネ受け部材又は前記支持部材の頂板との間に設けたダンパー装置と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする、原稿圧着板開閉装置。
【請求項５】
前記第１リンクアームは、その一端部を前記第１ヒンジシャフトに回転可能に軸着させたことを特徴とする、請求項１〜４のいずれか１項に記載の原稿圧着板開閉装置。
【請求項６】
前記第２リンクアームは、その一端部を前記作動部材へ回転可能に軸着させたことを特徴とする、請求項３と４のいずれか１項に記載の原稿圧着板開閉装置。
【請求項７】
前記カム手段は、前記連結手段に取り付けた第１カム部材と、この第１カム部材に当接して前記カムスライダーに設けた第２カム部材とで構成したことを特徴とする、請求項１〜４のいずれか１項に記載の原稿圧着板開閉装置。
【請求項８】
前記連結手段は、前記第１リンクアームに固定させ、前記第２リンクアームを回転可能に軸着させた連結シャフトであり、前記第１カム部材は前記連結シャフトに固定されていることを特徴とする、請求項１〜４のいずれか１項に記載の原稿圧着板開閉装置。
【請求項９】
請求項１〜８のいずれか１項に記載の原稿圧着板開閉装置を用いたことを特徴とする、事務機器。
【発明の詳細な説明】
【技術分野】
【０００１】
本発明は、複写機、印刷機、プリンター等の事務機器の原稿圧着板や、複写機能の他にプリンター、ファクシミリ、スキャナー等の各種機能を有する所謂複合機と称せられる事務機器の原稿圧着板若しくはＡＤＦ装置（自動原稿送り装置）付の原稿圧着板（本願において、これらすべてを含めて原稿圧着板という。）を、装置本体に対して開閉可能に取り付けるのに用いて好適なリフト機能付の原稿圧着板開閉装置並びにこの原稿圧着板開閉装置を備えた事務機器に関する。
【背景技術】
【０００２】
現在、市販されている事務機器の原稿圧着板の多くは、下記特許文献１に記載されているように、その後端部が機器本体の後部上端に設けた原稿圧着板開閉装置へ取り付けられている。このような原稿圧着板開閉装置は、事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、前記取付部材と前記支持部材との間に設けられ、前記原稿圧着板を開成方向に回転付勢すると共に前記リフト部材を前記支持部材と重なり合う方向へ付勢する弾性手段とを有しており、原稿圧着板はその後端部を第１ヒンジシャフトを支点に上下方向へ開閉するように構成されている
【０００３】
この特許文献１に記載のものは、本のような厚物原稿の場合には、この厚物原稿をスキャナー部のコンタクトガラス面上に置き、原稿圧着板を閉じて行く際に、その厚物原稿の後部上面のエッジ部と原稿圧着板の下面に当たったときに、さらに弾性手段の弾力に抗して原稿圧着板を下押しすることによって、当該原稿のエッジ部を支点とする梃子の原理でリフト部材を介して原稿圧着板のリフト動作が行われ、厚物原稿の上面を水平状態で覆うことができるように構成されている。
【０００４】
さらに、下記特許文献２に記載されているように、リフト部材に代えて取付部材に取付脚部を設け、この取付脚部を機器本体の後部上端に設けた挿通孔に上下方向へ摺動可能となるように構成した原稿圧着板開閉装置も公知である。
【０００５】
この原稿圧着板圧着板開閉装置は、原稿が本のような厚物原稿の場合には、原稿圧着板を閉じると、当該原稿圧着板の下面が厚物原稿の下面に当たるので、さらに原稿圧着板を下押しすることにより、取付脚部が挿通孔内を上方へ摺動して原稿圧着板で厚物原稿の上面を水平方向に覆うことができる構成となっている。
【０００６】
さらに、下記特許文献３に記載されたような構成の原稿圧着板開閉装置が開発されている。この特許文献３に記載された原稿圧着板開閉装置は、事務機器の機器本体に取り付けられるところの特許文献１の取付部材に相当する固定側ヒンジ体と、この固定側ヒンジ体に対し第１ヒンジシャフトに相当する固定側ヒンジピンを介して回転可能に軸支された特許文献１の支持部材に相当する第１可動側ヒンジ体と、この第１可動側ヒンジ体に摺動可能に設けられると共にカム部を形成したスライダーと、前記第１可動側ヒンジ体に重なり合うと共に当該第１可動側ヒンジ体の自由端部に前記第１可動側ヒンジ体の回転方向とは逆方向へ第２ヒンジシャフトに相当する可動側ヒンジピンを介して回転可能に軸支され、かつ、原稿圧着板に取り付けられる特許文献１のリフト部材に相当する第２可動ヒンジ体と、前記固定側ヒンジ体と前記第１可動側ヒンジ体との間に設けられ、前記原稿圧着板を開成方向に回転付勢すると共に前記第２可動ヒンジ体を前記第１可動ヒンジ体と重なり合う方向へ付勢する弾性手段と、両端部にそれぞれ規制ピンを有し、一方の規制ピンが上記固定側ヒンジ体に形成されたカム溝に挿設されると共に他方の規制ピンが上記第２可動側ヒンジ体に形成されたカム溝に挿設されたリンクアームと、前記固定側ヒンジ体に取り付けられると共に前記スライダーのカム部が弾性的に当接するカム部を形成した固定側カム板とで構成されている。
【先行技術文献】
【特許文献】
【０００７】
【特許文献１】特開２００６−０１０９７９号公報
【特許文献２】特開２００６−０３９４４０号公報
【特許文献３】特開２００５−１６４８０４号公報
【発明の概要】
【発明が解決しようとする課題】
【０００８】
上記特許文献１と２に各記載の原稿圧着板開閉装置は、原稿をスキャナー部のコンタクトガラス上に載置して原稿圧着板を閉じると、風がコンタクトガラスの後方から前方へ流れることから、この風によって原稿の載置位置がずれ易いという問題があった。そのため、原稿の位置がずれないように原稿圧着板を静かに閉じたり、或は当該原稿の上から手で押えつつ原稿圧着板を閉じる必要のあることから、複写操作に時間がかかったり、手を挟んだりし易いという問題があった。
【０００９】
さらに、特許文献１に記載の従来の原稿圧着板開閉装置の構成では、厚物原稿にかかる負荷が大きく、その負荷による印刷位置のズレ発生や厚物原稿の破損やスキャナー部のコンタクトガラスに対する過負荷が発生するという問題があった。
【００１０】
そこで、上記特許文献３に記載の原稿圧着板開閉装置が提案されているわけであるが、この特許文献３に記載の原稿圧着板開閉装置は、原稿圧着板を開くと、リンクアームによって当該原稿圧着板が閉成状態からの開成時及び所定の開成角度からの閉成時に原稿圧着板が水平に上下動作することができる。しかしながら、リンクアームの両端部に取り付けた規制ピンの一方が固定側ヒンジ体に形成されたカム溝に挿設され、他方が第２可動側ヒンジ体に形成されたカム溝に挿設されているため、原稿圧着板のリフト動作が滑らかなものとならない上に、リンクアームの動きがカム溝の形状によって規制されるため、第２可能側ヒンジ体の動きを複雑に制御することが困難であった。そのため、原稿圧着板は、リフトされた状態で開かれることから、９０°の全開成時に原稿圧着板の後部が機器本体の後方へ突出してしまい、事務機器を壁際にくっつけて置くということが困難になるという問題もあった。
【００１１】
本発明は、従来技術の上記問題点を解決するためになされたものであって、その第1の目的は、原稿圧着板を閉じた状態から開くとき、及び原稿圧着板を所定の開成角度から閉じるとき、当該原稿圧着板が水平状態でコンタクトガラスの上面へスムーズに上昇、下降（即ち、垂直方向）するように構成した、原稿圧着板開閉装置を提供せんとするにある。
【００１２】
本発明のもう一つの目的は、原稿圧着板を、閉成状態から開成時に最初は水平にリフトするができた上で、所定の開成角度から原稿圧着板が反転して元位置に戻るように構成した原稿圧着板開閉装置を提供せんとするにある。
【課題を解決するための手段】
【００１３】
上述した目的を達成するために、本発明は、事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、前記取付部材と前記支持部材との間に設けられ、前記原稿圧着板を開成方向に回転付勢する弾性手段と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする。
【００１４】
本発明はさらに、事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、前記支持部材内に摺動可能に収装され、前記取付部材側の受圧手段に当接したカムスライダーと、このカムスライダーと前記支持部材の自由端側との間に設けられ、前記原稿圧着板を開成方向に回転付勢する弾性手段と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする。
【００１５】
本発明はさらに、事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、このリフト部材の側に設けた作動部材と、前記取付部材の側に設けた受圧手段と、前記支持部材内に摺動可能に収装され、前記受圧手段に当接したカムスライダーと、前記支持部材内に自由端側に摺動可能に収装され、前記作動部材に当接したバネ受け部材と、このバネ受け部材と前記カムスライダーとの間に設けられ、前記原稿圧着板を開成方向に回転付勢する弾性手段と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする。
【００１６】
本発明はまた、事務機器の機器本体に取り付けられる取付部材と、この取付部材に第１ヒンジシャフトを介して回転可能に軸支された支持部材と、この支持部材に重なり合うと共に当該支持部材の自由端部に前記支持部材の回転方向とは逆方向へ第２ヒンジシャフトを介して回転可能に軸支され、かつ、原稿圧着板に取り付けられるリフト部材と、このリフト部材の側に設けた作動部材と、前記取付部材の側に設けた受圧手段と、前記支持部材内に摺動可能に収装され、前記受圧手段に当接したカムスライダーと、前記支持部材内に自由端側に摺動可能に収装され、前記作動部材に当接したバネ受け部材と、このバネ受け部材と前記カムスライダーとの間に設けられ、前記原稿圧着板を開成方向に回転付勢する弾性手段と、この弾性手段のなかに収容されて前記カムスライダーと前記バネ受け部材又は前記支持部材の頂板との間に設けたダンパー装置と、前記原稿圧着板の開閉操作に伴ない前記リフト部材の回転を制御するリンク機構とを備えた原稿圧着板開閉装置であって、前記リンク機構を前記取付部材側へその一端部を回転可能に取り付けた第１リンクアームと、前記リフト部材側へその一端部を回転可能に取り付けられると共に、他端部側を前記第１リンクアームの他端部側に連結手段を介して互いに回転可能に連結させた第２リンクアームと、前記連結手段に作用するカム手段とで構成したことを特徴とする。
【００１７】
上記各発明において、前記第１リンクアームは、その一端部を前記第１ヒンジシャフトに回転可能に軸着させたことを特徴とする、請求項１〜４のいずれか１項に記載の原稿圧着板開閉装置。
【００１８】
本発明において、作動部材を有するものは、前記第２リンクアームの一端部を前記作動部材へ回転可能に軸着させたことを特徴とする。
【００１９】
本発明において、前記カム手段は、前記連結手段に取り付けた第１カム部材と、この第１カム部材に当接して前記カムスライダーに設けた第２カム部材とで構成したことを特徴とする。
【００２０】
本発明はまた、前記連結手段を、前記第１リンクアームに固定させ、前記第２リンクアームを回転可能に軸着させた連結シャフトとし、前記第１カム部材は前記連結シャフトに固定させたことを特徴とする。
【００２１】
そして、本発明は、上記の原稿圧着板開閉装置を用いた事務機器であることを特徴とする。
【発明の効果】
【００２２】
本発明は、請求項１のように構成すると、リンク機構のフリーな状態にある連結手段に作用するカム手段によって、第１リンクアームと第２リンクアームによる原稿圧着板のスムーズなリフト動作がなされ、操作性が向上するという効果を奏し得る。
【００２３】
さらに、本発明は、連結手段に設けたカム手段によって、リフト部材の回転を制御して、原稿圧着板の閉成位置より所定の開成角度までは原稿圧着板を水平方向に上昇、下降させて開くことができ、所定の開成角度からは原稿圧着板を元位置に戻して通常の開閉動作と成るようにすることができるものである。
【００２４】
本発明のさらなる効果は、以下に説明するところから明らかになろう。
【図面の簡単な説明】
【００２５】
【図１】本発明に係る原稿圧着板開閉装置を用いた事務機器の一例としての複写機の原稿圧着板を開いてみた斜視図である。
【図２】本発明に係る原稿圧着板開閉装置の斜視図である。
【図３】本発明に係る原稿圧着板開閉装置の側面図である。
【図４】本発明に係る原稿圧着板開閉装置の背面図である。
【図５】本発明に係る原稿圧着板開閉装置の分解斜視図である。
【図６】本発明に係る原稿圧着板開閉装置のとくに受圧手段とカムスライダーの動作を説明するための側断面図であり、原稿圧着板開閉装置が閉じた状態を示している。
【図７】本発明に係る原稿圧着板開閉装置のとくに受圧手段とカムスライダーの動作を説明するための側断面図であり、原稿圧着板を３０°まで開いた状態を示している。
【図８】本発明に係る原稿圧着板開閉装置のとくに受圧手段とカムスライダーの動作を説明するための側断面図であり、原稿圧着板を６０°まで開いた状態を示している。
【図９】本発明に係る原稿圧着板開閉装置のとくにリンク機構の動作を説明するための側断面図であり、原稿圧着板開閉装置が閉じた状態を示している。
【図１０】本発明に係る原稿圧着板開閉装置のとくにリンク機構の動作を説明するための側断面図であり、原稿圧着板を１５°まで開いた状態を示している。
【図１１】本発明に係る原稿圧着板開閉装置のとくにリンク機構の動作を説明するための側断面図であり、原稿圧着板を３０°まで開いた状態を示している。
【図１２】本発明に係る原稿圧着板開閉装置のとくにリンク機構の動作を説明するための側断面図であり、原稿圧着板を４０°まで開いた状態を示している。
【図１３】本発明に係る原稿圧着板開閉装置のとくにリンク機構の動作を説明するための側断面図であり、原稿圧着板を６０°まで開いた状態を示している。
【図１４】本発明に係る原稿圧着板開閉装置の他の実施例を示す説明図である。
【発明を実施するための形態】
【００２６】
以下、本発明に係る原稿圧着板開閉装置並びにこの原稿圧着板開閉装置を用いた事務機器を添付図面に基づいて詳述する。事務機器としては、とくに限定されず、例えば、複写機、印刷機、プリンターなどの単体としての事務機器、複写機、ファクシミリ、スキャナーなどの各種機能を併せ持つ複合機等が挙げられ、以下に複写機を例としてあげるがこのものに限定されない。
【実施例１】
【００２７】
本発明に係る原稿圧着板開閉装置は、図１に示すように、事務機器（複写機以下同じ）１１の機器本体１１aの後端部に、原稿圧着板１２を開閉可能に取り付けるものである。尚、原稿圧着板開閉装置は、通常一対設けられ、指示記号１Ａと１Ｂとして示してある。実施例では指示記１Ｂで示したものは、弾性手段が1本であるが、基本的な構成は同じである。しかしながら、同一構成のものであってもよいし、原稿圧着板開閉装置１Ｂは、弾性手段を有しない異なる構成のものであっても良い。以下の説明では指示記号１Ａで示した原稿圧着板開閉装置のみについて説明する。
【００２８】
原稿圧着板１２の上部には、例えば、公知構成の原稿自動送り装置１２ｂが設けられている。原稿自動送り装置は、複数枚の原稿を効率よく複写したり送信したりするためのものである。この原稿自動送り装置１２ｂは、原稿圧着板１２の上部の一側に設けた図示してない原稿送り部を備え、この原稿送り部へ原稿をセットすると、自動的に原稿が順次送り出されて複写や送信が行えるように構成されている。
【００２９】
本発明に係る原稿圧着板開閉装置１Ａは、図２以降に示したように、事務機器１１の機器本体１１ａに取り付けられる取付部材２と、この取付部材２に第１ヒンジシャフト１５介して回転可能に軸支された支持部材３と、この支持部材３に重なり合うと共にこの支持部材３の自由端部に第２ヒンジシャフト１７を介して回転可能に軸支され、かつ、原稿圧着板１２に取り付けられるリフト部材４と、取付部材２と支持部材３との間に設けられ、原稿圧着板１２を開成方向に回転付勢すると共にリフト部材４を支持部材３と重なり合う方向へ付勢する弾性手段５とを備え、原稿圧着板１２を回転させて機器本体１１aの上面を原稿圧着板１２で覆う閉成状態とその上面を露出させる開成状態とを形成するものである。この弾性手段５がリフト部材４を回転付勢せず、後述するように、当該リフト部材４が第２ヒンジシャフト１７に環巻きさせた捩じりコイルスプリングで回転付勢される構成のものもある。
【００３０】
取付部材２は、例えば、機器本体１１ａに取り付けられる底板２１と、底板２１の両側端部からそれぞれ底板２１に対して直交する方向（略直交する方向も含む。）に延びる両側板２２と、底板２１の一端部（後端部）から底板２１に対して直交する方向（略直交する方向も含む。）に延びる略矩形状の後板２３とからなることが好ましい。
【００３１】
底板２１は、略矩形状に形成され、図示してないネジやビス等で機器本体１１ａに取り付けられる。側板２２には、軸受孔２６ａを有する周り止め付きの軸受部材２６を取り付けるシャフト孔２４が設けられている。側板２２のシャフト孔２４より前方で、かつ、内側（前方）に偏した位置には、受圧手段１６が装着される受圧ピン孔２５が設けられている。受圧手段１６は、実施例ではカムスライダー５２の底部の外表面が当接する受圧ローラ２９ａであり、この受圧ローラ２９ａは、受圧ピン孔２５に取り付けた受圧ピン２９ｂに回転可能に取り付けられている。尚、この受圧手段１６は、単なる受圧ピンであってもよいし、カム部材であってもよい。
【００３２】
支持部材３は、例えば、天板である上板３１と、上板３１の両側端部からそれぞれ上板３１に対して直交する方向（略直交する方向も含む。）に延びる両側板３２と、これらの両側板３２の下端部側を互いに対向する側に９０°折曲げてなる抱持板３３とからなることが好ましい。これらの上板３１、両側板３２、抱持板３３で、後述するカムスライダーや弾性手段の収容部３４が構成されている。
【００３３】
この支持部材３の両側板３２の一端部（後端部）には、第２ヒンジシャフト１７が挿通される第２ヒンジシャフト孔３８が設けられていると共に、後述する作動部材１８とリンク機構６の連結手段９が入り込む切欠部３５ａ、３５ｂが設けられている。両側板３２の他端部（前端部）には、さらに第１ヒンジシャフト１５のシャフト挿通孔３６が設けられている。この支持部材３の両側板３２のシャフト挿通孔３６と取付部材２の側板２２に取り付けた軸受部材２６の軸受孔２６ａとが孔合わせされると共に、これらシャフト挿通孔３６と軸受部材２６との間即ち支持部材３の側板３２と取付部材２の側板２２との間にスペーサー２７とワッシャー２８が設けられて、これらシャフト挿通孔３６と軸受孔２６ａとスペーサー２７とワッシャー２８に第１ヒンジシャフト１５が挿通されることによって、支持部材３が取付部材２に第１ヒンジシャフト１５を軸に回転可能に連結されている。
【００３４】
リフト部材４は、本のような厚物原稿であっても、原稿圧着板１２で機器本体１１ａの上面に安定して圧着させ、その上面を水平に覆うことができるようにするためのものである。リフト部材４には、上板４１と、この上板４１の両端部からそれぞれ上板４１に対して直交する方向（略直交する方向も含む。）に延びる両側板４２と、これらの両側板４２の下端部側から外方向へ直角に折り曲げられた原稿圧着板１２の取付板４４から成るものであって、支持部材３を上側から覆うように構成されている。リフト部材４の一端部（後端部）の中央より上板４１側の箇所には第２ヒンジシャフト挿通孔４３が設けられていると共に、第２ヒンジシャフト挿通孔４３より他端部側で、かつ、中央より上板４１側とは反対側の箇所には、作動部材１８が挿通される作動部材取付孔４５が設けられている。両側板４２の作動部材取付孔４５に作動部材１８が挿通されて固定されている。リフト部材４の両側板４２の第２ヒンジシャフト挿通孔４３と支持部材３の両側板３２の第２ヒンジシャフト孔３８とが孔合わせされてこれら孔に第２ヒンジシャフト１７が挿通されることによって、リフト部材４と支持部材３とが第２ヒンジシャフト１７を軸に互いに回転可能に連結されている。尚、この作動部材は、リフト部材４側へ取り付けられれば、ピン状でなくともよい。また、図５において、指示記号３９のものはスペーサーである。
【００３５】
弾性手段５は、実施例では原稿圧着板１２を開成方向に回転付勢すると共に、リフト部材４を支持部材３と重なり合う方向へ付勢し、かつ、原稿圧着板１２が任意の回転角度以下のとき、原稿圧着板１２を付勢する弾力が原稿圧着板１２のモーメントより小さくなるものである。なお、本発明において開成方向とは、原稿圧着板１２を回転させる際に原稿圧着板１２がコンタクトガラス１３から離間する方向をいう。本発明において、閉成方向とは、開成方向とは反対の方向で原稿圧着板１２を回転させる際に原稿圧着板１２がコンタクトガラス１３に近づく方向をいう。本発明における回転角度とは、機器本体１１ａの上面であるコンタクトガラス１３面に対する原稿圧着板１２の角度である。本発明における任意の回転角度とは、弾性手段５の付勢力により任意に設定されるもので、例えば、弾性手段５による原稿圧着板１２を付勢する付勢力が原稿圧着板１２のモーメントより小さくない角度である。
【００３６】
弾性手段５は、とくに限定されないが、例えば、圧縮コイルスプリング５３である。圧縮コイルスプリング５３は、支持部材３内に収装されて作動部材１８と受圧手段１６との間に弾設されている。圧縮コイルスプリング５３と作動部材１８との間には、弾性手段５の受入凹部５１ａを有するバネ受け部材５１が設けられていると共に、圧縮コイルスプリング５３の受圧手段１６との間には、カムスライダー５２が設けられている。尚、後述するように、支持部材３に頂板を設けたものは、バネ受け部材５１を省略することができる。また、指示記号５２ａのものは、弾性手段５の収容部である。
【００３７】
圧縮コイルスプリング５３は、その個数はとくにに限定されず、１個でも２個以上でもよく、バネ受け部材５１及びカムスライダー５２をそれぞれ互いに離間する方向に付勢するものである。圧縮コイルスプリング５３は、原稿圧着板１２を開成方向に回転付勢すると共に、原稿圧着板１２が所定の回転角度（例えば、１５°（１５°前後も含む。））以下のとき、原稿圧着板１２を付勢する弾力が原稿圧着板１２の回転モーメントより小さくなるものである。圧縮コイルスプリング５３は、また、半径方向と軸方向に重ねて２重、３重に設けられる場合もある。
【００３８】
バネ受け部材５１及びカムスライダー５２は、断面矩形の有底筒状態に形成されている。これらのバネ受け部材５１及びカムスライダー５２は、互いの開口部「受入凹部５１ａと収容部５２ａ」が向き合うと共にこれらの間に圧縮コイルスプリング５３が収容された状態で支持部材３の収容部３４にそれぞれ個別に摺動可能に嵌合された状態で収装されている。バネ受け部材５１及びカムスライダー５２は、取付部材２の底板２１と支持部材３（上板３１）が略平行になっているとき（例えば機器本体１１aの上面のコンタクトガラス１３上に原稿圧着板１２を密着させたとき（原稿圧着板１２が閉成位置にあるとき））、支持部材３の収容部３４内に収装される長さで形成されている。
【００３９】
バネ受け部材５１は、圧縮コイルスプリング５３の付勢力によって作動部材１８を押圧して、支持部材３とリフト部材４とが重なり合うように付勢させると共に、原稿圧着板１２を開成方向へ付勢させるものである。即ち、圧縮コイルスプリング５３の付勢力によってリフト部材４の上板４１が支持部材３の上板３１に当接又は近接するようになっている。このとき、上板４１が例えばコンタクトガラス１３に対して略平行になるようになっていることが好ましい。
【００４０】
カムスライダー５２の底部（閉塞部ということがある。）の外表面には、傾斜カム部５６が設けられ、受圧手段１６に圧接している。閉成位置にある原稿圧着板１２（図１参照。）をコンタクトガラス１３から離間する方向（上方）に第１ヒンジシャフト１５を軸に回転させると、受圧手段１６に当接する箇所が突部５６ａから傾斜部５６ｂへと徐々に摺動して移動すると共に、カムスライダー５２が圧縮コイルスプリング５３によって支持部材３内を後端部側へと押圧されて摺動し、圧縮コイルスプリング５３が徐々に伸びる。
【００４１】
リンク機構６は、支持部材３の両側に設けられ、第１ヒンジシャフト１５の両端に各端部を回転可能に軸着された一対の第１リンクアーム７と、第２ヒンジシャフト１７の両端に各端部を回転可能に軸着された同じく一対の第２リンクアーム８と、これらの一対の第１リンクアーム７と同じく一対の第２リンクアーム８の各自由端を連結する一対の連結手段９と、この連結手段９に設けた第１カム部材１９とカムスライダー５２の両側部に設けた第２カム部材５４とから成る一対のカム手段１０と、で構成されている。尚、このリンク機構６は、一対の第１リンクアーム７と、一対の第２リンクアーム８と、一対の連結手段９と、一対のカム手段１０とで構成されているが、どちらか一つであっても良い。また、指示記号７ｂのものは連結手段９の連結孔、指示記号８ａのものはワッシャーであり、指示記号８ｂと８ｃは、作動部材１８と連結手段９の連結孔である。
【００４２】
連結手段９は、第１リンクアーム７と第２リンクアーム８のそれぞれの自由端側を連結する連結シャフト１４であり、この連結シャフト１４の変形軸部１４ａに第１リンクアーム７の変形取付孔７ａが挿入係合されており、同時に変形軸部１４ａに第１カム部材１９がその変形取付孔１９ａへ挿通係合させ、さらに固定ピン１９ｂによって固定されている。
【００４３】
以下に本発明の原稿圧着板開閉装置並びにこの原稿圧着板開閉装置を用いた事務機器の作用効果について説明する。
【００４４】
図３と図６及び図９に示したように、原稿圧着板１２が閉じられて機器本体１１aのスキャナー部のコンタクトガラス１３上へ圧着している状態においては、原稿圧着板１２はその自重で薄物原稿（図示せず）を当該コンタクトガラス１３上へ圧着させている。尚、ここのところは、原稿圧着板１２をその自重に加えて原稿圧着板開閉装置１Ａで圧着方向へ回転付勢させるように構成することもできる。そして、この閉成状態において、弾性手段５は最大に圧縮された状態にある。さらに、リンク機構６のカム手段１０の第１カム部材１９と第２カム部材５４は互いに当接状態にある。
【００４５】
次に、原稿圧着板１２を開くべく、その手前側に設けた把手部１２ａを手で持って開成方向へ開くと、当該原稿圧着板１２はリフト部材４と支持部材３と共に、原稿圧着板開閉装置１Ａの第１ヒンジシャフト１５を支点に回転して開かれる。しかるにこの際に、支持部材３が第１ヒンジシャフト１５を支点に原稿圧着板１２の開成方向へ共に回転することになるが、リンク機構６の第１リンクアーム７と第２リンクアーム８がその第１カム部材１９をカムスライダー５２に設けた第２カム部材５４に押されることにより、第１リンクアーム７と第２リンクアーム８を介してリフト部材４を支持部材３の回転方向とは反対方向へ引張るので、当該リフト部材４は第２ヒンジシャフト１７を支点に支持部材３の回転方向とは逆方向に回転し、結果、このリフト部材４に取り付けた原稿圧着板１２は、図７と図１０及び図１１に示したように、コンタクトガラスに対して水平状態を保ったままで垂直方向へ開くことになる。この水平状態で垂直状態に原稿圧着板１２が開くのは、支持部材３の回転角度が図７と図１１に示したように、３０°までであり、この角度を越えると、リンク機構６のカム手段１０によりリフト部材４が先ほどとは逆方向へ回転して支持部材３と重なり合うように成るので、６０°の開成位置においては、図８と図１３に示したように、原稿圧着板１２しかしてリフト部材４と支持部材３が重なり合い、しかる後この状態で開かれることになるので、図１に示した全開成状態においては、原稿圧着板１２の後部が機器本体１１ａの後部へ不必要に突出することがない。この点が特許文献３のものと大きく異なる特徴である。
【００４６】
次に、開いた原稿圧着板１２を閉じて行くと、図８と図１３に示したように閉成角度６０°までは、リフト部材４しかして原稿圧着板１２は支持部材３と重なり合って、当該支持部材３と共に回転して閉じられる。そして閉成角度６０°を越えると、カムスライダー５２の側に設けたリンク機構６の第２カム部材５４が第１カム部材１９を下押しするので、図７と図１０及び図１１に示したように、原稿圧着板１２は第１リンクアーム７と第２リンクアーム８を介してリフト部材４が反転することにより、コンタクトガラス１３に対して水平状態を保ったままで垂直方向へ閉じられることになる。
【００４７】
したがって、原稿圧着板１２がコンタクトガラス１３に対して水平状態で閉じられるので、風圧によって当該コンタクトガラス１３上の薄物原稿に対して位置ズレを生じさせることを有効に防止できるものである。
【００４８】
また、図７と図１１に示したように、本のような厚物原稿Ｄに対しても水平状態を保って閉じられることから、従来技術のものよりも、原稿圧着板１２の上面を水平に覆うために原稿圧着板を弾性手段５の弾力にこうして反転させる必要がないので、コンタクトガラス１３及び厚物原稿Ｄに対して無理な力が加わることがないものである。
【実施例２】
【００４９】
図１４は原稿圧着板開閉装置の他の実施例を示す。図面によれば、この実施例２に係る原稿圧着板開閉装置１Ｃの圧縮コイルスプリング１００内には、公知構成のダンパー装置１０１が設けられている。このダンパー装置１０１は、原稿圧着板１２が閉成方向に回転したとき、原稿圧着板１２の任意の回転角度以下の特定の回転角度以下（例えば１０°前後以下）においてのみ、ピストンロッド１０２の先端がカムスライダー１０３の内底部に当接してその原稿圧着板１２の閉成速度を減速させるように動作して、原稿圧着板が急速に落下するのを防止するものである。その他の構成は実施例１のものと同じであるので、説明を省略する。ダンパー装置は、図１４に示した以外の構成の本願明細書に記載してあるその他の構成の原稿圧着板開閉装置にも適用できるものである。
【００５０】
ダンパー装置１０１は、例えば、オイルダンパー装置等である。このダンパー装置１０１は、原稿圧着板１２の特定の角度以下（例えば、１０°前後以下）においてのみその原稿圧着板１２の回転速度を低減させることができれば、特に限定されない。さらにこのダンパー装置１０１は、例えば、シリコンオイル等のオイルが充填されているシリンダ１０４と、シリンダ１０４内に移動可能に設けられ、シリンダ１０４から露出する露出長が長くなるように付勢されるピストンロッド１０２とからなることが好ましいがこのものに限定されない。実施例２のダンパー装置１０１は、公知構成のものであるので、詳しい説明は省略する。
【００５１】
尚、原稿圧着板開閉装置のその他の実施例として、リフト部材は、圧縮コイルスプリングからなる弾性手段に加えて、或はこの弾性手段の弾力が作用しない構成にして、第２ヒンジシャフトに環巻させた捩じりコイルスプリングで支持部材と重なる方向へ回転付勢させる構成であってもよい。また、作動部材は、実施例のものは、リフト部材の両側板に軸架したピン状のものであるが、リフト部材の側に設けられれば、実施例のピン状のものに限定されない。それは例えば、リフト部材の第２ヒンジシャフト側に設けた頂板それ自体を加工するか、或は頂板の側に取り付けられるものであってもよい。また、圧縮コイルスプリングから成る弾性手段の一端部は、支持部材の自由端側に設けた頂板側に当接させる構成のものであってもよい。この場合には、リフト部材は捩じりコイルスプリングによって支持部材と重なり合う方向へ回転付勢されることになろう。
【産業上の利用可能性】
【００５２】
本発明は以上のように構成したので、複写機、印刷機、プリンター等の事務機器の原稿圧着板や、複写機能の他にプリンター、ファクシミリ、スキャナー等の各種機能を有する所謂複合機と称せられる事務機器の原稿圧着板を、装置本体に対して開閉可能に取り付けるのに用いて好適なリフト機能付の原稿圧着板開閉装置並びにこの原稿圧着板開閉装置を備えた事務機器として好適に用いられるものである。
【符号の説明】
【００５３】
１Ａ、１Ｂ、１Ｃ  原稿圧着板開閉装置
２  取付部材
３  支持部材
４  リフト部材
５  弾性手段
６  リンク機構
７  第１リンクアーム
８  第２リンクアーム
９  連結手段
１０  カム手段
１１  事務機器
１１ａ  機器本体
１２  原稿圧着板
１４  連結シャフト
１５  第１ヒンジシャフト
１６  受圧手段
１７  第２ヒンジシャフト
１８  作動部材
１９  第１カム部材
５１  バネ受け部材
５２、１０３  カムスライダー
５４  第２カム部材
１０１  ダンパー装置
【図１】
2011227370.tif 000003
【図２】
2011227370.tif 000004
【図３】
2011227370.tif 000005
【図４】
2011227370.tif 000006
【図５】
2011227370.tif 000007
【図６】
2011227370.tif 000008
【図７】
2011227370.tif 000009
【図８】
2011227370.tif 000010
【図９】
2011227370.tif 000011
【図１０】
2011227370.tif 000012
【図１１】
2011227370.tif 000013
【図１２】
2011227370.tif 000014
【図１３】
2011227370.tif 000015
【図１４】
2011227370.tif 000016